(57)【要約】【課題】運用及び拡張等の点で柔軟性に優れた調剤システムを提供する。【解決手段】処方データに基づいて調剤処理を行うための調剤システムは、ＵＳＢボード１ｅ〜４ｅを有する少なくとも１台の調剤装置１〜４と、ＵＳＢボード６ｃを有する携帯端末６とを備える。携帯端末６のＵＳＢボード６ｃと調剤装置１〜４のＵＳＢボード１ｅ〜４ｅとが接続されると、予め入力された１包単位に変換された処方データが携帯端末６から調剤装置１〜４に送信される。【選択図】　図１
2004135930.tif 000002
【特許請求の範囲】
【請求項１】
処方データに基づいて調剤処理を行うための調剤システムにおいて、
第１のＵＳＢ通信制御部を備える少なくとも１台の調剤装置と、
第２のＵＳＢ通信制御部を備え、該第２のＵＳＢ通信制御部と前記第１の通信制御部が接続されると、予め入力された１包単位に変換された処方データを前記調剤装置に送信する少なくとも１台の端末と
を備えることを特徴とする、調剤システム。
【発明の詳細な説明】
【０００１】
【発明の属する技術分野】
本発明は、散薬や錠剤の分包等の調剤処理を行うための調剤システムに関する。
【０００２】
【従来の技術】
従来、この種の調剤システムとして、総合病院や大規模薬局等ではネットワーク対応のシステムが採用されている。具体的には、処方データの作成及びその管理を行うサーバと、散薬分包機、錠剤分包機、薬袋印刷装置、注射薬払出装置等の調剤装置毎に設けられたパーソナルコンピュータからなるクライアントコンピュータとをイーサーネットで接続したシステムが採用されている。クライアントコンピュータはサーバから受信した処方データに基づいて調剤装置を制御する。一方、小規模の薬局等では１台の調剤装置に接続された１台のパーソナルコンピュータにより処方データ作成と調剤装置の制御を行うスタンドアロン環境が一般的である。
【０００３】
【発明が解決しようとする課題】
しかし、前記イーサーネットを利用したシステムは運用や設定が煩雑である。
【０００４】
この点について詳述すると、例えば、極めて使用頻度の低い調剤装置の場合、常に電源投入状態とするのは電気代が無駄になる。一方、通常時は電源を非投入としておいて実際に使用する必要が生じた場合にのみ起動するのではホストコンピュータや他の調剤装置のクライアントコンピュータを再起動する必要があり、非常に煩雑である。また、環境設定によってはシステム起動時に各調剤装置及びそれに対応するクライアントコンピュータに対して所定の順序で電源投入する必要がある。
【０００５】
一方、前記スタンドアロン環境で新たに調剤装置を追加する場合には、追加する台数分のパーソナルコンピュータが必要となる。例えば、２台の調剤装置を追加する場合には、各調剤装置毎に１台で合計２台のパーソナルコンピュータが必要となる。スタンドアロン環境で調剤装置を使用するユーザーは前述のように小規模の薬局等であるため、調剤機器の追加導入に際してパーソナルコンピュータの購入が必要となることはコスト上非常に大きな負担である。
【０００６】
そこで、本発明は運用及び拡張等の点で柔軟性に優れた調剤システムを提供することを課題としている。
【０００７】
【課題を解決するための手段】
従って、本発明は、処方データに基づいて調剤処理を行うための調剤システムにおいて、第１のＵＳＢ通信制御部を備える少なくとも１台の調剤装置と、第２のＵＳＢ通信制御部を備え、該第２のＵＳＢ通信制御部と前記第１の通信制御部が接続されると、予め入力された１包単位に変換された処方データを前記調剤装置に送信する少なくとも１台の端末とを備えることを特徴とする、調剤システムを提供する。
【０００８】
前記端末は、携帯情報端末（ＰＤＡ）、ノート型パーソナルコンピュータ、携帯電話等のオペレータが容易に持ち運びできる携帯端末であることが好ましい。調剤装置には、例えば、散薬分包機、錠剤分包機、薬袋印刷装置、及び注射薬払出装置等がある。
【０００９】
端末から調剤装置への処方データの送信は、これらが備える第１及び第２のＵＳＢ通信制御部を接続することにより可能であるので、イーサーネット等の通信回線を使用するシステムと比較すると煩雑な設定作業が不要な簡易なシステムとなる。また、調剤装置が複数有る場合に、使用頻度の低い調剤装置を常時電源投入状態で維持しておく必要がなく、その調剤装置を実際に使用する必要が生じた場合にのみ起動して端末から送信される処方データにより作動させることができる。さらに、調剤装置が複数有る場合でも、システム起動時における調剤装置の電源投入順序も特に制限されない。さらにまた、システムに新たな調剤装置を追加導入する場合に、その調剤装置を制御するためのパーソナルコンピュータ等を新たに導入する必要がない。
【００１０】
本発明の調剤システムはイーサーネット等の通信回線で構成されたシステムと併用することができる。すなわち、前記調剤装置は複数台あり、前記調剤装置毎に設けられ、処方データに基づいて対応する調剤装置を制御するクライアントコンピュータと、各クライアントコンピュータと通信回線を介して接続され、各クライアントコンピュータに処方データを送信するサーバとをさらに備えていてもよい。
【００１１】
この場合、例えば、通常時にはクライアントコンピュータ、サーバ、及び通信回線からなるシステムで各調剤装置を運用し、例えば、緊急時に端末の第２のＵＳＢ通信制御部と調剤装置の第１のＵＳＢ通信制御部とを接続し、実行中の調剤処理に割り込ませて端末から送信する処方データによって調剤装置を制御する等の柔軟な運用が可能となる。
【００１２】
【発明の実施の形態】
次に、図面に示す本発明の実施形態について詳細に説明する。
【００１３】
（第１実施形態）
図１に示す本発明の第１実施形態の調剤システムは、調剤装置として散薬を分包する散薬分包機１、錠剤を分包する錠剤分包機２、薬袋に処方等の情報を印字する薬袋印刷装置３、及び注射薬払出装置４を備えている。なお、散薬分包機１、錠剤分包機２、薬袋印刷装置３、及び注射薬払出装置４のうちいずれであるかを特に限定せずに言及する場合には、調剤装置１〜４と表記する。調剤システムは、後に詳述するように入力された処方データを複数個の１包単位のデータ（１包単位データ）に変換するホストコンピュータ５を備えている。さらに、調剤システムは、ホストコンピュータ５から受信した１包単位データ群を調剤装置１〜４に対して送信して所定の調剤作業（例えば、散薬分包機１の場合には散薬の分包）を実行させるための携帯端末６を備えている。
【００１４】
散薬分包機１は、例えば、外周部に断面円弧状の外周溝を形成された円盤を回転駆動可能に備え、散薬供給装置により前記外周溝に散薬を供給し、散薬掻出装置により前記外周溝に供給した散薬を１包分ずつ掻き出し、ホッパーを介して包装装置にて包装紙に１包分ずつ包装する。散薬分包機１は、前記円盤、散薬供給装置、散薬掻出装置、及び包装装置が備えるモータ、ソレノイド、ヒータ等であるアクチュエータ１ａ、各種センサ１ｂ、制御部１ｃ、アクチュエータ１ａの制御用及び携帯端末６との通信用のプログラムを含む各種プログラムが記憶された記憶部１ｄ、ＵＳＢボード（第１のＵＳＢ通信制御部）１ｅ、及びＵＳＢケーブル７を接続するためのＵＳＢポート１ｆを備えている。制御部１ｃは携帯端末６から受信した１包単位データ群とセンサ１ｂの検出出力に基づいてアクチュエータを制御し、散薬を所定量に分包する作業を実行する。
【００１５】
錠剤分包機２、薬剤印刷装置３、及び注射薬払出装置４も、それらが実行する調剤作業に応じたアクチュエータ２ａ〜４ａ及びセンサ２ｂ〜４ｂを備えると共に、記憶部２ｄ〜４ｄ、ＵＳＢボード２ｅ〜４ｄ、及びＵＳＢポート２ｆ〜４ｆを備えている。
【００１６】
ホストコンピュータ５には処方箋に記載される情報に対応する処方データがマニュアル入力される。ホストコンピュータ５に通信機能を持たせ、他のコンピュータからホストコンピュータ５に処方データを送信してもよい。ホストコンピュータは入力された処方データを複数個の１包単位データに変換し、この１包単位データ群を携帯端末６に送信する。ホストコンピュータ５に代えて、例えばスタンドアロン環境にあるパーソナルコンピュータで処方データの作成及び処方データの１包単位データへの変換を行ってもよい。
【００１７】
図２（Ａ）に示すように、処方データには、例えば、患者名、薬剤の服用時期（例えば、「朝」、「昼」、「夜」）、薬剤名（散薬又は錠剤の名称）、及び容量（散薬の場合には服用量、錠剤の場合には服用数）が含まれる。
【００１８】
図２（Ｂ）は、散薬分包機１を制御するための１包単位データの一例を示している。散薬分包機１の１包単位データには、例えば、包数データ、基本動作データ、フィーダ制御データ、ホッパ角度、錠剤カセット数量、円盤回転角、及び印字データが含まれる。これらのデータのうち、包装データは処方データに含まれる全包数のうち何包目であるかを示す。また、基本動作データは散薬掻出装置が備えるブラシクリーナ等の動作に関するデータである。さらに、ホッパ角度は散薬供給装置のホッパを散薬がその下端開口部へ落下しやすいように傾斜させる角度の設定である。さらにまた、フィーダ制御データには、フィーダに対して振動を付与するための圧電素子に印加する電圧の初期値、共振周波数、運転時の振動強度等が含まれる。
【００１９】
携帯端末６は、ホストコンピュータ５から１包単位データ群を受信するための通信ボード６ｅを備えている。また、携帯端末６は、調剤装置１〜４に処方データを送信するためのＵＳＢボード６ｃ（第２のＵＳＢ通信制御部）及びＵＳＢポート６ｄを備えている。記憶部６ｂには、パーソナルコンピュータ等との通信用及び散薬分包機１等の調剤装置との通信用のプログラムを含む各種プログラムが記憶されている。さらに、携帯端末６はオペレータが各種操作を行うためのキーボード等の入力部６ｆ及び液晶ディスプレイ等である表示部６ｇを備えている。制御部６ａは入力部６ｆから入力されるオペレータの命令等に応じて記憶部６ｂに記憶されたプログラムを実行し、ホストコンピュータ５や調剤装置１〜４との通信及び必要な情報の表示部５ｇへの表示を行う。
【００２０】
携帯端末６はホストコンピュータ５から受信した１包単位データ群をレコード形式で記憶部６ｂに記憶する。また、携帯端末６は１包単位データを調剤装置１〜４に対して逐次送信する。例えば、散薬分包機１に対して携帯端末６を接続した場合、まず複数包分（例えば５包分）の１包単位データが携帯端末６から散薬包装機１に送信され、記憶部１ｄに記憶される。そして、１個の１包単位データに対応する分包作業が完了すると度に、新たな１包単位データを散薬分包機１に対して送信する。
【００２１】
携帯端末６は、携帯情報端末（ＰＤＡ）、ノート型パーソナルコンピュータ、携帯電話等のオペレータが容易に持ち運びできる携帯端末であることが好ましい。
【００２２】
調剤装置１〜４はそれぞれＵＳＢボード１ｅ〜４ｅ及びＵＳＢ１ｆ〜４ｆを備え、携帯端末６はＵＳＢボード６ｃ及びＵＳＢポート６ｄを備えており、両者の間の通信はＵＳＢ（Ｕｎｉｖｅｒｓａｌ　Ｓｅｒｉａｌ　Ｂｕｓ）規格に準拠している。このＵＳＢ規格では、いわゆる活線挿抜が可能であり、本実施例の場合、調剤装置１〜４の電源投入と、ＵＳＢケーブル７による携帯端末６と調剤装置１〜４の接続とは、いずれを先に行ってもよい。
【００２３】
調剤装置１〜４と携帯端末６間の通信規格としてＵＳＢを採用したことにより、以下の利点がある。
【００２４】
まず、イーサーネット等の通信回線を使用するシステムと比較すると煩雑な設定作業が不要な簡易なシステムとなる。
【００２５】
また、複数の調剤装置１〜４のうち、注射薬払出装置４の使用頻度が低い場合には、注射薬払出装置４を常時電源投入状態で維持しておく必要がなく、注射薬払出装置４を実際に使用する必要が生じた場合にのみ起動して携帯端末６から送信される処方データにより作動させることができる。
【００２６】
さらに、システム起動時において散薬分包機１、錠剤分包機２、薬袋印刷装置３、及び注射薬払出装置４に対して電源を投入する順序も特に制限されない。
【００２７】
さらにまた、新たな調剤装置を追加導入する場合に、その調剤装置を制御するためのパーソナルコンピュータ等を新たに導入する必要もない。この利点は特に小規模の薬局等で本発明の調剤システムを採用する際に大きな意義がある。この点について詳述すると、図１の調剤システムは４台の調剤装置１〜４を備えているが、小規模の薬局等ではシステム導入当初は、散薬分包機１と、携帯端末６と、処方データの入力及び１包単位データへの変換用のパーソナルコンピュータのみからなるスタンドアロン環境となる場合もある。新たに錠剤分包機２を導入する場合、従来のシステムでは錠剤分包機２自体に加え、錠剤分包機２を制御するためのパーソナルコンピュータが必要となるが、本発明では、それが不要となるので導入コストを低減することができる。
【００２８】
本実施形態に係る調剤システムの運用の一例を概説すると、まず、ホストコンピュータ５で作成された各調剤装置１〜４に対応する１包単位データ群が携帯端末６に送信され、レコード形式で保存される。１包単位データ群はオペレータ（担当者）、外科、内科等の処方区分、期間等で分類し、これらの分類に基づいて出力可能としてもよい。次に、オペレータは携帯端末６を操作して表示部５に処方データを表示させ、その内容を確認する。その後、オペレータはいずれかの調剤装置１〜４に携帯端末６を接続し、その調剤装置の電源を投入する。携帯端末６は接続した調剤装置１〜４の認識（散薬分包機１、錠剤分包機２、薬袋印刷装置３、及び注射薬払出装置４のうちいずれであるかの認識）を行い、対応する１包単位データ群を抽出する。前述のように電源投入と端末接続の順序は逆でもよい。携帯端末６を散薬分包機１に接続する場合を例に説明すると、まず、携帯端末６のＵＳＢポート６ｄを散薬分包機１のＵＳＢポート１ｆとをＵＳＢケーブル７により接続し、散薬分包機１の電源を投入する。電源投入された散薬分包機１は、初期動作を行い分包可能状態になると「分包準備可能」情報を携帯端末６に送信する。この「分包準備可能」を受信すると、携帯端末６の表示部６に散薬分包機１で包装される情報が一覧表示される。同時に、表示された処方について分包動作を行うか否かをオペレータに選択させるための表示が表示部６に表示される。一覧表示された処方は全選択又は任意選択のいずれも可能であることが好ましい。分包動作実行が選択されると、散薬分包機１は１包単位に変換された処方データに基づいて散薬の分包動作を実行する。１包分の分包動作が完了すると、当該分包動作が完了したことを示す情報が、開始時刻及び完了時刻等の共に散薬分包機１から携帯端末６に送信され、携帯端末６はこれらの情報を順次記憶する。すべての分包動作が完了すると携帯端末６と散薬分包機１の接続が解除される。携帯端末６とホストコンピュータ５を接続し、調剤処理が完了したことを示すデータをホストコンピュータ６に送信し、履歴データとしと保存してもよい。携帯端末６がホストコンピュータ５から受信した１包単位データ群に散薬分包機１以外の調剤装置に対応する処理があれば、当該調剤装置１〜４と携帯端末６を接続して同様の手順が繰り返される。
【００２９】
（第２実施形態）
図４に示す本発明の第２実施形態の調剤システムは、携帯端末６が、散薬分包機１、錠剤分包機２、薬袋印刷装置３、及び注射薬払出装置４がＵＳＢハブ８を介して携帯端末６に接続されている。第２実施形態のその他の構成及び作用は第１実施形態と同様であるので、同一の要素には同一の符号を付して説明を省略する。
【００３０】
（第３実施形態）
図３に示す本発明の第３実施形態は、イーサーネット等の通信回線により構成されたシステムに本発明を付加的に適用した例である。各調剤装置１〜４毎に制御用のパーソナルコンピュータ（クライアントコンピュータ）９があり、これらのパーソナルコンピュータ９とサーバ１０とはイーサーネット等の通信回線１１により接続されている。各調剤装置１〜４はパーソナルコンピュータ９との通信を実行するための通信ボードを備えている。
【００３１】
この第３実施形態のシステムでは、例えば、通常時には各調剤装置１〜４毎に設けられたパーソナルコンピュータ９、サーバ１０、及び通信回線１１からなるネットワークで各調剤装置１〜４を運用し、緊急時にのみ携帯端末６のＵＳＢボード６ｅと調剤装置１〜４のＵＳＢボード１ｅ〜４ｅとを接続し、実行中の調剤処理に割り込ませて携帯端末６から送信する処方データによって調剤装置を制御することができる。
【００３２】
かかる運用の一例について概説すると、まず、緊急処方を携帯端末６の記憶部６ｂに記憶させた後、ＵＳＢケーブル７により携帯端末６を薬袋印刷装置３に接続し、薬袋に所定の情報を印刷させる。薬袋印刷装置３はＵＳＢポート３ｆにＵＳＢケーブル７が接続されたことを検出すると、通信回線１１を経由して受信した処方データに基づく処理を中断し、携帯端末６から受信した緊急処方に基づく処理を実行する。次に、オペレータは携帯端末６を散薬分包機１や錠剤分包機２にＵＳＢ接続し、通信回線１１を経由した処方データに基づく処理に割り込ませて、散薬や錠剤の分包を実行させる。分包済みの散薬や錠剤は印刷済みの薬袋に収容される。なお、監査を行う際に、再度携帯端末６をホストコンピュータ５に接続して調剤終了情報を携帯端末６からホストコンピュータ５に送し、調剤が完了したことをホストコンピュータ５に接続された病院待合室の投薬表示板に表示させてもよい。この表示は、通常、緊急処方の受付順になされる。第３実施形態のその他の構成及び作用は第１実施形態と同様であるので、同一の要素には同一の符号を付して説明を省略する。
【００３３】
【発明の効果】
以上の説明から明らかなように、本発明の調剤システムでは、端末から調剤装置への処方データの送信は、これらが備える第１及び第２のＵＳＢ通信制御部を接続することにより可能であるので、イーサーネット等の通信回線を使用するシステムと比較すると煩雑な設定作業が不要な簡易なシステムとなる。また、調剤装置が複数有る場合に、使用頻度の低い調剤装置を常時電源投入状態で維持しておく必要がなく、システム起動時における調剤装置の電源投入の順序も特に制限されない。さらに、新たな調剤装置の追加導入時にパーソナルコンピュータ等を新たに導入する必要もない。このように本発明により、運用及び拡張等の点で柔軟性に優れた調剤システムが達成される。
【図面の簡単な説明】
【図１】本発明の第１実施形態の調剤システムを示す概略構成図である。
【図２】（Ａ）は処方データのデータ構造の一例を示す図、（Ｂ）は１包単位データのデータ構造の一例を示す図である。
【図３】本発明の第２実施形態の調剤システムを示す概略構成図である。
【図４】本発明の第３実施形態の調剤システムを示す概略構成図である。
【符号の説明】
１　散薬分包機
１ａ　アクチュエータ
１ｂ　センサ
１ｃ　制御部
１ｄ　記憶部
１ｅ　ＵＳＢボード
１ｆ　ＵＳＢポート
１ｇ　通信ボード
２　錠剤分包機
２ａ　アクチュエータ
２ｂ　センサ
２ｃ　制御部
２ｄ　記憶部
２ｅ　ＵＳＢボード
２ｆ　ＵＳＢ　ポート
２ｇ　通信ボード
３　薬袋印刷装置
３ａ　アクチュエータ
３ｂ　センサ
３ｃ　制御部
３ｄ　記憶部
３ｅ　ＵＳＢボード
３ｆ　ＵＳＢ　ポート
３ｇ　通信ボード
４　注射薬払出装置
４ａ　アクチュエータ
４ｂ　センサ
４ｃ　制御部
４ｄ　記憶部
４ｅ　ＵＳＢボード
４ｆ　ＵＳＢ　ポート
４ｇ　通信ボード
５　ホストコンピュータ
６　携帯端末
６ａ　制御部
６ｂ　記憶部
６ｃ　ＵＳＢボード
６ｄ　ＵＳＢポート
６ｅ　通信ボード
６ｆ　入力部
６ｇ　表示部
７　ＵＳＢケーブル
８　ＵＳＢハブ
９　パーソナルコンピュータ
１０　サーバ
１１　通信回線
【図１】
2004135930.tif 000003
【図２】
2004135930.tif 000004
【図３】
2004135930.tif 000005
【図４】
2004135930.tif 000006